(57)【要約】      （修正有）【課題】媒体に記録する画像を記録前に表示する際において、画像の表示位置に基づいて把握する記録位置と、実際の記録位置と、にずれが生じることを抑制するプログラム及び表示方法を提供する。【解決手段】記録領域に対する画像の記録位置を確認するための実体マークを有し媒体を支持可能な媒体支持ユニットを備えた記録装置によって、媒体に記録する画像を記録前に表示するプログラムであって、画像と、実体マークと対応する仮想マーク１７と、を表示部１６に表示させる表示機能を実行させる。【選択図】図７
2016177731.tif 000002
【特許請求の範囲】
【請求項１】
記録領域に対する画像の記録位置を確認するための実体マークを有し媒体を支持可能な
媒体支持ユニットを備えた記録装置によって、前記媒体に記録する前記画像を記録前に表
示するプログラムであって、
前記画像と、前記実体マークと対応する仮想マークと、を表示部に表示させる表示機能
を実行させることを特徴とするプログラム。
【請求項２】
請求項１に記載のプログラムにおいて、
前記表示部に表示させた前記画像の記録指示を前記記録装置に送る記録指示機能を実行
させることを特徴とするプログラム。
【請求項３】
請求項１又は２に記載のプログラムにおいて、
前記表示機能において、前記仮想マークに対する前記画像の表示位置を変更可能である
ことを特徴とするプログラム。
【請求項４】
請求項１から３のいずれか１項に記載のプログラムにおいて、
前記記録装置は、複数種類の前記媒体支持ユニットをセット可能であり、
前記表示機能において、前記記録装置にセットされている前記媒体支持ユニットの種類
の入力を受け付け、入力された前記種類に対応した表示を前記表示部に表示可能であるこ
とを特徴とするプログラム。
【請求項５】
請求項１から４のいずれか１項に記載のプログラムにおいて、
前記表示機能において、前記仮想マークの少なくとも一部の色、形及び大きさのうちの
少なくとも１つを前記実体マークと異ならせて表示部に表示可能であることを特徴とする
プログラム。
【請求項６】
前記媒体支持ユニットと、前記媒体支持ユニットに支持された前記媒体に記録可能な記
録部と、を備え、
請求項１から５のいずれか１項に記載のプログラムにより前記表示機能において表示さ
れる前記仮想マークに対する前記画像の位置に対応して、前記実体マークに対する前記記
録位置に、前記画像を記録可能なことを特徴とする記録装置。
【請求項７】
記録領域に対する画像の記録位置を確認するための実体マークを有し媒体を支持可能な
媒体支持ユニットを備えた記録装置によって、前記媒体に記録する前記画像を記録前に表
示する表示方法であって、
前記画像と、前記実体マークと対応する仮想マークと、を表示部に表示することを特徴
とする表示方法。
【発明の詳細な説明】
【技術分野】
【０００１】
本発明は、プログラム及び表示方法に関する。
【背景技術】
【０００２】
従来から、様々な記録装置が使用されている。このような記録装置においては、画像の
記録前に、ＰＣなどの表示部において記録する画像を表示させ、媒体における記録位置を
調整することが一般的に行われている。  
また、記録装置の中には、媒体支持ユニットに媒体を支持させ、該媒体支持ユニットに
支持された媒体に対して記録可能なものがある。  
例えば、特許文献１には、媒体のセット位置を案内する案内表示が設けられた枠部を備
えるセットトレイ（媒体支持ユニット）が開示されている。
【先行技術文献】
【特許文献】
【０００３】
【特許文献１】特開２０１３−２２１２２９号公報
【発明の概要】
【発明が解決しようとする課題】
【０００４】
近年、媒体支持ユニットに支持させる媒体として様々な種類のものが使用されており、
媒体における正確な記録位置に記録することが望まれる場合がある。特許文献１のセット
トレイは案内表示が設けられた枠部を備えるので、セットトレイに支持された媒体の記録
位置を正確に把握することが可能である。しかしながら、セットトレイに支持された媒体
の記録位置と、表示部における画像の表示位置と、の対応については記載がない。このた
め、表示部における画像の表示位置に基づいて把握する記録位置と、実際の記録位置と、
にずれが生じる虞がある。
【０００５】
そこで、本発明の目的は、媒体に記録する画像を記録前に表示する際において、前記画
像の表示位置に基づいて把握する記録位置と、実際の記録位置と、にずれが生じることを
抑制することを目的にする。
【課題を解決するための手段】
【０００６】
上記課題を解決するための本発明の第１の態様のプログラムは、記録領域に対する画像
の記録位置を確認するための実体マークを有し媒体を支持可能な媒体支持ユニットを備え
た記録装置によって、前記媒体に記録する前記画像を記録前に表示するプログラムであっ
て、前記画像と、前記実体マークと対応する仮想マークと、を表示部に表示させる表示機
能を実行させることを特徴とする。
【０００７】
本発明の第２の態様のプログラムは、前記第１の態様において、前記表示部に表示させ
た前記画像の記録指示を前記記録装置に送る記録指示機能を実行させることを特徴とする
。
【０００８】
本発明の第３の態様のプログラムは、前記第１又は第２の態様において、前記表示機能
において、前記仮想マークに対する前記画像の表示位置を変更可能であることを特徴とす
る。
【０００９】
本発明の第４の態様のプログラムは、前記第１から第３のいずれか１つの態様において
、前記記録装置は、複数種類の前記媒体支持ユニットをセット可能であり、前記表示機能
において、前記記録装置にセットされている前記媒体支持ユニットの種類の入力を受け付
け、入力された前記種類に対応した表示を前記表示部に表示可能であることを特徴とする
。
【００１０】
本発明の第５の態様のプログラムは、前記第１から第４のいずれか１つの態様において
、前記表示機能において、前記仮想マークの少なくとも一部の色、形及び大きさのうちの
少なくとも１つを前記実体マークと異ならせて表示部に表示可能であることを特徴とする
。
【００１１】
本発明の第６の態様の記録装置は、前記媒体支持ユニットと、前記媒体支持ユニットに
支持された前記媒体に記録可能な記録部と、を備え、前記第１から第５のいずれか１つに
記載のプログラムにより前記表示機能において表示される前記仮想マークに対する前記画
像の位置に対応して、前記実体マークに対する前記記録位置に、前記画像を記録可能なこ
とを特徴とする。
【００１２】
本発明の第７の態様の表示方法は、媒体を支持可能であり記録領域に対する画像の記録
位置を確認するための実体マークを有する媒体支持ユニットを備えた記録装置によって、
前記媒体に記録する前記画像を記録前に表示する表示方法であって、前記画像と、前記実
体マークと対応する仮想マークと、を表示部に表示することを特徴とする。
【発明の効果】
【００１３】
本発明によれば、媒体に記録する画像を記録前に表示する際において、前記画像の表示
位置に基づいて把握する記録位置と、実際の記録位置と、にずれが生じることを抑制する
ことができる。
【図面の簡単な説明】
【００１４】
【図１】本発明の一実施例に係る記録装置の概略斜視図。
【図２】本発明の一実施例に係る記録装置の概略斜視図。
【図３】本発明の一実施例に係る記録装置の概略正面図。
【図４】本発明の一実施例に係る記録装置のブロック図。
【図５】本発明の一実施例に係る媒体支持ユニットを表す概略斜視図。
【図６】本発明の一実施例に係る記録装置の媒体支持ユニットにセットされた媒体における画像の形成位置を表す概略平面図。
【図７】本発明の一実施例に係る記録装置と共に使用可能なＰＣのモニターにおける媒体支持ユニットにセットされた媒体における画像Ｉの形成位置の表示例を表す概略図。
【図８】本発明の一実施例に係る記録装置と共に使用可能なＰＣのモニターにおける媒体支持ユニットにセットされた媒体における画像Ｉの形成位置の表示例を表す概略図。
【図９】本発明の一実施例に係る媒体支持ユニットの押さえ部を表す概略平面図。
【発明を実施するための形態】
【００１５】
以下に、本発明の一実施例に係る記録装置１について、添付図面を参照して詳細に説明
する。本実施例の記録装置１は、本発明の一実施例に係るプログラムによって記録可能な
記録装置である。  
最初に、本実施例の記録装置１の概要について説明する。  
図１及び図２は本発明の一実施例に係る記録装置１の概略斜視図であり、このうち図１
は本実施例の記録装置１の媒体Ｍ（図５参照）の支持部としてのトレイ４が記録開始位置
にある状態、図２はトレイ４が媒体Ｍのセット位置にある状態を表している。  
また、図３は、本実施例の記録装置１の概略正面図である。
【００１６】
本実施例の記録装置１は、媒体Ｍをトレイ４の支持面８で支持した状態で移動方向Ａに
移動する媒体支持ユニット２を備えている。媒体支持ユニット２は、媒体Ｍの支持部であ
るトレイ４を有している。記録装置１は、トレイ４に支持された媒体Ｍを移動方向Ａに搬
送する媒体搬送部３を備えている。移動方向Ａは、方向Ａ１と、方向Ａ１と反対方向の方
向Ａ２と、を含む方向である。また、トレイ４はステージ５に載置されている。トレイ４
はステージ５と共に、回転レバー９を回転させることにより、高さ方向Ｃに移動する。な
お、媒体Ｍとしては、テキスタイル（織物、布等）、紙、塩化ビニル樹脂など、種々の素
材のものを用いることができる。
【００１７】
また、記録装置１の本体内部にはインクを吐出して媒体Ｍに記録することが可能な記録
ヘッド７が備えられている。本実施例において、記録ヘッド７は、媒体Ｍに記録を実行可
能な記録部に相当する。そして、本実施例の記録装置１は、記録ヘッド７が設けられたキ
ャリッジ６を移動方向Ａと交差する交差方向Ｂに往復移動させることで、記録ヘッド７を
交差方向Ｂに往復移動させながら、記録ヘッド７からトレイ４に支持された媒体Ｍにイン
クを吐出させて所望の画像を形成する。  
なお、本実施例の記録装置１は、図１及び図２中の手前側（左下方向）がトレイ４への
媒体Ｍのセット位置（図２に対応）である。そして、図１及び図２中の奥側（右上方向）
の記録開始位置（図１に対応）まで移動方向Ａのうちの方向Ａ１に媒体Ｍをセットしたト
レイ４を移動した後、移動方向Ａのうちの方向Ａ２にトレイ４を移動しながら記録する。
【００１８】
なお、本実施例の記録装置１は、交差方向Ｂに往復移動しながら記録する記録ヘッド７
を備えているが、インクを吐出するノズルを移動方向Ａと交差する交差方向Ｂに複数設け
た所謂ラインヘッドを備える記録装置でもよい。  
ここで、「ラインヘッド」とは、媒体Ｍの移動方向Ａと交差する交差方向Ｂに形成され
たノズルの領域が、媒体Ｍの交差方向Ｂ全体をカバー可能なように設けられ、記録ヘッド
又は媒体Ｍを相対的に移動させて画像を形成する記録装置に用いられる記録ヘッドである
。なお、ラインヘッドの交差方向Ｂのノズルの領域は、記録装置が対応している全ての媒
体Ｍの交差方向Ｂ全体をカバー可能でなくてもよい。  
また、本実施例の記録ヘッド７は、媒体Ｍにインクを吐出することで記録可能な記録部
であるが、このような記録部に限定されず、例えば、色材を媒体Ｍに転写して記録する転
写式の記録部を使用してもよい。
【００１９】
また、本実施例の記録装置１は、図３で表されるように、センサーＳを備えており、ト
レイ４に支持される媒体Ｍと記録ヘッド７との間隔の異常（媒体Ｍと記録ヘッド７との間
隔が狭すぎること）の有無を検出することができる構成になっている。  
ここで、センサーＳは、発光部Ｓｅと受光部Ｓｒとを有している。そして、センサーＳ
は、発光部Ｓｅから受光部Ｓｒに向けて光を照射し、受光部Ｓｒで該光を受光したか否か
に基づいて、該間隔の異常の有無を検出する構成である。ただし、このような構成に限定
はない。
【００２０】
次に、本実施例の記録装置１における電気的な構成について説明する。  
図４は、本実施例の記録装置１のブロック図である。  
制御部１９には、記録装置１の全体の制御を司るＣＰＵ２０が設けられている。ＣＰＵ
２０は、システムバス２１を介して、ＣＰＵ２０が実行する各種制御プログラム等を格納
したＲＯＭ２２と、データを一時的に格納可能なＲＡＭ２３と、に接続されている。
【００２１】
また、ＣＰＵ２０は、システムバス２１を介して、記録ヘッド７を駆動するためのヘッ
ド駆動部２４と接続されている。  
また、ＣＰＵ２０は、システムバス２１を介して、モーター駆動部２５と接続されてい
る。そして、モーター駆動部２５は、記録ヘッド７が設けられたキャリッジ６を移動させ
るためのキャリッジモーター２６、媒体Ｍを搬送するために媒体搬送部３に設けられた搬
送モーター２７、と接続されている。  
さらに、ＣＰＵ２０は、システムバス２１を介して、入出力部２８と接続されており、
入出力部２８は、センサーＳ、表示部としてのモニター１６を有し画像Ｉの画像データＩ
ｄ（図７参照）等のデータ及び信号（記録指示信号など）の送受信を行うためのＰＣ２９
と接続されている。
【００２２】
次に、本発明の実施例１の媒体支持ユニット２について詳細に説明する。  
ここで、図５は、本実施例の媒体支持ユニット２を表す概略斜視図である。  
本実施例の媒体支持ユニット２は、図５で表されるように、媒体Ｍを支持可能な支持部
としてのトレイ４と、トレイ４に支持される媒体Ｍを押さえることが可能な枠状の押さえ
部１０と、を備えている。  
そして、媒体Ｍをトレイ４の支持面８で支持させ、トレイ４の縁部１３に押さえ部１０
の庇部１１が載せられる状態となるようにすることで、媒体Ｍを押さえ部１０で押さえる
ことが可能な構成である。  
また、押さえ部１０には、記録領域に対する画像Ｉの記録位置を確認するための実体マ
ーク１２が設けられている。  
なお、本実施例のトレイ４には、ステージ５から取り外して床などに設置する際の設置
部１４と、ステージ５に対して位置決め可能な位置決め部１５とを備えている。  
ただし、押さえ部１０及びトレイ４の構成に特に限定はない。
【００２３】
また、記録装置１と、表示部としてのモニター１６を有するＰＣ２９と、で構成される
本実施例の記録ユニットは、ＰＣ２９にインストールされた記録装置１のドライバーソフ
ト（プログラム）を使用することにより、媒体支持ユニット２に支持された媒体Ｍに対し
て所望の位置に所望の画像Ｉを形成可能である。  
ここで、図６及び図７を用いて、作業者が本実施例の記録ユニットによって、どのよう
にして媒体支持ユニット２に支持された媒体Ｍに対して所望の位置に所望の画像Ｉを形成
できるかについて説明する。  
ここで、図６は、本実施例の記録装置１の媒体支持ユニット２にセットされた媒体Ｍに
おける画像Ｉ（記録画像Ｉｐ）の形成位置を表す概略平面図である。そして、図７は、本
実施例の記録装置１と共に使用可能なＰＣ２９のモニター１６における媒体支持ユニット
２にセットされた媒体Ｍにおける画像Ｉ（データ画像Ｉｄ）の形成位置の表示例を表す概
略図である。
【００２４】
図６で表されるように、本実施例の押さえ部１０には、記録領域に対する画像Ｉの記録
位置を確認するための実体マーク１２が、押さえ部１０の各辺に５個ずつ合計２０個、設
けられている。このため、作業者は、記録領域に対する画像Ｉ（記録画像Ｉｐ）の記録位
置を容易に認識できる。  
また、作業者がＰＣ２９上でドライバーソフトを実行すると、モニター１６には、媒体
支持ユニット２に支持された媒体Ｍが表示されるとともに、実体マーク１２に対応する仮
想マーク１７が表示される。作業者は、このドライバーソフトを用いて、媒体Ｍの所望の
位置に所望の画像Ｉを形成させることができる。
【００２５】
例えば、作業者が、図６で表されるように、記録画像Ｉｐのうちの先端部分Ｐ１が、図
６における左右において真ん中の実体マーク１２ａの位置であって上下において上から２
番目の実体マーク１２ｂの位置にくるように、記録画像Ｉｐを記録する場合を想定する。
このような場合、作業者は、ＰＣ２９のモニター１６上で、記録画像Ｉｐに対応するデー
タ画像Ｉｄのうちの先端部分Ｄ１（先端部分Ｐ１に対応）が、図７における左右において
真ん中の仮想マーク１７ａの位置であって上下において上から２番目の仮想マーク１７ｄ
の位置にくるように、ポインター１８等を使用してデータ画像Ｉｄを配置させる。  
ここで、本実施例のドライバーソフトは、実体マーク１２に仮想マーク１７を対応させ
ている。このため、作業者は、仮想マーク１７を利用してデータ上の媒体Ｄｍに対する所
望の位置に所望の画像Ｉ（データ画像Ｉｄ）を配置させることにより、容易に媒体Ｍの所
望の位置に所望の画像Ｉ（記録画像Ｉｐ）を形成させることができる。
【００２６】
別の表現をすると、本実施例のドライバーソフトは、記録領域に対する画像Ｉの記録位
置を確認するための実体マーク１２を有し媒体Ｍを支持可能な媒体支持ユニット２を備え
た記録装置１によって、媒体Ｍに記録する画像Ｉを記録前に表示するプログラムである。
そして、画像Ｉと、実体マーク１２と対応する仮想マーク１７と、を表示部としてのモニ
ター１６に表示させる表示機能を実行させるプログラムである。  
このため、本実施例のドライバーソフトを用いて、モニター１６に表示される仮想マー
ク１７の位置と、媒体支持ユニット２における実体マーク１２の位置と、から、作業者は
、画像Ｉの表示位置に基づいて把握する記録位置と、実際の記録位置と、の関係性を好適
に把握できる。したがって、本実施例のドライバーソフトは、媒体Ｍに記録する画像Ｉを
記録前に表示する際において、画像Ｉの表示位置に基づいて把握する記録位置と、実際の
記録位置と、にずれが生じることを抑制することができるプログラムである。言い換える
と、本実施例のドライバーソフトを用いて記録前にモニター１６に表示する表示方法によ
り、媒体Ｍに記録する画像Ｉを記録前に表示する際において、画像Ｉの表示位置に基づい
て把握する記録位置と、実際の記録位置と、にずれが生じることを抑制することができる
。  
なお、「実体マーク１２と対応する仮想マーク１７」とは、実体マーク１２の位置及び
数に対応して仮想マーク１７が設けられていれば足りる意味であり、実体マーク１２と同
じ形状であることまでは要しない意味である。また、「実体マーク１２」及び「仮想マー
ク１７」の形状については特に限定はない。本実施例では共に三角形のマークであるが、
このうちの少なくとも一方が、例えば、四角形、円形、星形などであってもよく、また、
目盛りであってもよい。さらに、三角形のマークと目盛りとの併用など、複数のマークの
併用であってもよい。  
さらに、本実施例の媒体支持ユニット２においては、実体マーク１２は押さえ部１０に
構成されているが、実体マーク１２が目視で確認できるのであれば、その構成位置に特に
限定はない。  
また、本実施例の記録ユニットは、記録装置１と、表示部としてのモニター１６を有す
るＰＣ２９と、で構成されるが、記録装置１が表示部を備えるとともに上記プログラムが
該表示部に表示機能を実行可能であれば、記録装置１のみで構成されていてもよい。
【００２７】
上記について、さらに別の表現をすると、本実施例の記録装置１は、実体マーク１２が
設けられた上記の媒体支持ユニット２と、媒体支持ユニット２に支持された媒体Ｍに記録
可能な記録部７と、を備え、本実施例のドライバーソフトにより前記表示機能において表
示される仮想マーク１７に対する画像Ｉの位置に対応して、実体マーク１２に対する記録
位置に、画像Ｉを記録可能である。このような構成により、モニター１６における画像Ｉ
の表示位置に基づいて把握する記録位置と、実際の記録位置と、にずれが生じることを抑
制して記録することができる。
【００２８】
また、本実施例のドライバーソフトは、モニター１６に表示させた画像Ｉの記録指示を
記録装置１に送る記録指示機能を実行させるプログラムである。すなわち、該ドライバー
ソフトにより、前記表示機能を実行させるほか、前記記録指示機能を実行させることがで
きる。このため、別途、記録指示機能を実行させるためのプログラムを用意することなく
、記録装置１に記録を実行させることができる。  
しかしながら、本発明のプログラムは、このようなプログラムに限定されず、前記記録
指示機能を有さない画像形成ソフト（プログラム）などであってもよい。そして、記録ユ
ニットとしては、前記記録指示機能を実行させるプログラムを別に備える構成としてもよ
い。
【００２９】
また、本実施例のドライバーソフトは、前記表示機能において、仮想マーク１７に対す
る画像Ｉ（データ画像Ｉｄ）の表示位置を、ポインター１８等を使用して変更可能である
。このため、該表示機能において仮想マーク１７に対するデータ画像Ｉｄの表示位置を変
更することにより、すなわち、モニター１６において仮想マーク１７に対するデータ画像
Ｉｄの表示位置を変更することにより、簡単に、媒体Ｍの記録領域に対する画像Ｉ（記録
画像Ｉｐ）の記録位置を変更できる。
【００３０】
また、本実施例のドライバーソフトは、前記表示機能において、仮想マーク１７の少な
くとも一部の色、形及び大きさのうちの少なくとも１つを実体マーク１２と異ならせてモ
ニター１６に表示可能である。このため、仮想マーク１７の少なくとも一部を、用途に応
じて強調表示することなどができる。  
ここで、図８は、仮想マーク１７の一部（仮想マーク１７ａ及び１７ｂ）を星形にし、
強調表示させている状態を表している。上記のように、図６で表される状態は、記録画像
Ｉｐのうちの先端部分Ｐ１が図６における左右において真ん中の実体マーク１２の位置で
あって上下において上から２番目の実体マーク１２の位置にくるように、記録画像Ｉｐを
記録する場合である。このような場合、モニター１６に表示される仮想マーク１７のうち
、目印となる、左右において真ん中の仮想マーク１７ａと上下において上から２番目の仮
想マーク１７ｂの位置を、強調表示させた方がデータ画像Ｉｄの配置がしやすくなる。そ
こで、本実施例のドライバーソフトは、仮想マーク１７の一部を強調表示させることを可
能にしている。
【００３１】
また、本実施例の記録装置１は、複数種類の媒体支持ユニット２をセット可能である。
ここで、図９は、本実施例の記録装置１がセット可能な媒体支持ユニット２の押さえ部
１０ａ及び１０ｂを表す概略平面図である。すなわち、本実施例の記録装置１は、押さえ
部１０ａ及び１０ｂに対応する大きさの媒体支持ユニット２を備えることが可能な構成で
ある。なお、図９（Ａ）は大人用の服を媒体Ｍとしてセット可能な媒体支持ユニット２の
押さえ部１０ａを表しており、図９（Ｂ）は子供用の服を媒体Ｍとしてセット可能な媒体
支持ユニット２の押さえ部１０ｂを表している。押さえ部１０ａには、実体マーク１２が
各辺に５個ずつ合計２０個、設けられている。また、押さえ部１０ｂには、実体マーク１
２が各辺に４個ずつ合計１６個、設けられている。  
そして、本実施例のドライバーソフトは、前記表示機能において、記録装置１にセット
されている媒体支持ユニット２の種類の入力を、ＰＣ２９を介して受け付け、入力された
種類に対応した表示をモニター１６に表示させるよう実行可能である。具体的には、押さ
え部１０ａ及び１０ｂは異なる色が塗られているが、各々の色に合わせた表示をモニター
１６に表示させる。さらに、入力された種類に応じた仮想マーク１７をモニター１６に表
示させる。つまり、押さえ部１０ａが選択された場合には各辺に５個ずつ合計２０個の仮
想マーク１７を表示させ、押さえ部１０ｂが選択された場合には各辺に４個ずつ合計１６
個の仮想マーク１７を表示させる。  
このように、本実施例のドライバーソフトは、前記表示機能において、記録装置１にセ
ットされている媒体支持ユニット２の種類の入力を受け付け、入力された種類に対応した
表示をモニター１６に表示可能である。このため、記録装置１にセットされている媒体支
持ユニット２の種類が変更された場合に、そのことを作業者に報知することができ、媒体
支持ユニット２が変更したことに伴って、画像Ｉの表示位置に基づいて把握する記録位置
と、実際の記録位置と、にずれが生じることを抑制することができる。また、媒体支持ユ
ニット２の種類によって実体マーク１２の位置や数が異なる場合であっても、セットされ
ている媒体支持ユニット２に対応した仮想マーク１７を表示させることができる。  
なお、本実施例のドライバーソフトは、押さえ部１０ａと押さえ部１０ｂとで色が異な
っており、これらの色に対応してモニター１６に表示可能であった。しかしながら、この
ような表示に限定されず、例えば、押さえ部１０ａと押さえ部１０ｂとで実体マーク１２
の形状が異なっており、押さえ部１０ａと押さえ部１０ｂのどちらがセットされているか
に対応して、これらの実体マーク１２の形状に対応する仮想マーク１７を表示させてもよ
い。
【００３２】
なお、本実施例の押さえ部１０においては、実体マーク１２は固定された位置に設けら
れているが、実体マーク１２を移動可能な構成とし、実体マーク１２の位置を認識する機
構を設け、実体マーク１２の移動した位置に対応してモニター１６に表示される仮想マー
ク１７も移動させることが可能な構成としてもよい。このような構成とすることで、例え
ば、媒体Ｍのポケット部分にはみ出さずに画像Ｉを形成したい場合等、より正確な記録位
置の設定が望まれる場合に、より適正に対応することができる。  
また、押さえ部１０における実体マーク１２の位置や数は、本実施例の内容に限定され
るものではない。押さえ部には、用途に応じて様々な位置や数の実体マーク１２が配置さ
れる。
【００３３】
また、本実施例の記録装置１においては、画像Ｉ（記録画像Ｉｐ）は、作業者から見て
（図１及び図２における左下の位置から見て）先端部分Ｐ１が手前側に来るように記録さ
れるが、この画像Ｉの記録される方向に対応して、モニター１６に表示される画像Ｉ（デ
ータ画像Ｉｄ）を逆向きに表示させてもよい。
【００３４】
なお、本発明は上記実施例に限定されることなく、特許請求の範囲に記載した発明の範
囲内で種々の変形が可能であり、それらも本発明の範囲内に含まれることは言うまでもな
い。  
以上、本発明について具体的な実施例に基づいて詳述した。ここで、本発明について、
もう一度まとめて説明する。
【００３５】
本発明の第１の態様のプログラムは、記録領域に対する画像Ｉの記録位置を確認するた
めの実体マーク１２を有し媒体Ｍを支持可能な媒体支持ユニット２を備えた記録装置１に
よって、媒体Ｍに記録する画像Ｉを記録前に表示するプログラムであって、画像Ｉと、実
体マーク１２と対応する仮想マーク１７と、を表示部１６に表示させる表示機能を実行さ
せることを特徴とする。
【００３６】
本態様によれば、画像Ｉと、実体マーク１２と対応する仮想マーク１７と、を表示部１
６に表示させる表示機能を実行させる。このため、表示部１６に表示される仮想マーク１
７の位置と、媒体支持ユニット２における実体マーク１２の位置と、から、画像Ｉの表示
位置に基づいて把握する記録位置と、実際の記録位置と、の関係性を好適に把握できる。
したがって、媒体Ｍに記録する画像Ｉを記録前に表示する際において、画像Ｉの表示位置
に基づいて把握する記録位置と、実際の記録位置と、にずれが生じることを抑制すること
ができる。  
なお、「実体マーク１２と対応する仮想マーク１７」とは、実体マーク１２の位置及び
数に対応して仮想マーク１７が設けられていれば足りる意味であり、実体マーク１２と同
じ形状であることまでは要しない意味である。また、「実体マーク」及び「仮想マーク」
の形状については特に限定はなく、例えば、三角形、四角形、円形、星形などのほか、目
盛りであってもよい。
【００３７】
本発明の第２の態様のプログラムは、前記第１の態様において、表示部１６に表示させ
た画像Ｉの記録指示を記録装置１に送る記録指示機能を実行させることを特徴とする。
【００３８】
本態様によれば、表示部１６に表示させた画像Ｉの記録指示を記録装置１に送る記録指
示機能を実行させる。すなわち、該プログラムにより、前記表示機能を実行させるほか、
前記記録指示機能を実行させることができる。このため、別途、記録指示機能を実行させ
るためのプログラムを用意することなく、記録装置１に記録を実行させることができる。
【００３９】
本発明の第３の態様のプログラムは、前記第１又は第２の態様において、前記表示機能
において、仮想マーク１７に対する画像Ｉの表示位置を変更可能であることを特徴とする
。
【００４０】
本態様によれば、前記表示機能において、仮想マーク１７に対する画像Ｉの表示位置を
変更可能である。このため、前記表示機能において仮想マーク１７に対する画像Ｉの表示
位置を変更することにより、すなわち、例えば、表示部１６において仮想マーク１７に対
する画像Ｉの表示位置を変更することにより、簡単に、媒体Ｍの記録領域に対する画像Ｉ
の記録位置を変更できる。
【００４１】
本発明の第４の態様のプログラムは、前記第１から第３のいずれか１つの態様において
、記録装置１は、複数種類の媒体支持ユニット２をセット可能であり、前記表示機能にお
いて、記録装置１にセットされている媒体支持ユニット２の種類の入力を受け付け、入力
された前記種類に対応した表示を表示部１６に表示可能であることを特徴とする。
【００４２】
本態様によれば、前記表示機能において、記録装置１にセットされている媒体支持ユニ
ット２の種類の入力を受け付け、入力された種類に対応した表示を表示部１６に表示可能
である。このため、記録装置１にセットされている媒体支持ユニット２の種類が変更され
た場合に、そのことを作業者に報知することができ、媒体支持ユニット２が変更したこと
に伴って、画像Ｉの表示位置に基づいて把握する記録位置と、実際の記録位置と、にずれ
が生じることを抑制することができる。
【００４３】
本発明の第５の態様のプログラムは、前記第１から第４のいずれか１つの態様において
、前記表示機能において、仮想マーク１７の少なくとも一部の色、形及び大きさのうちの
少なくとも１つを実体マーク１２と異ならせて表示部１６に表示可能であることを特徴と
する。
【００４４】
本態様によれば、前記表示機能において、仮想マーク１７の少なくとも一部の色、形及
び大きさのうちの少なくとも１つを実体マーク１２と異ならせて表示部１６に表示可能で
ある。このため、仮想マーク１７の少なくとも一部を、用途に応じて強調表示することな
どができる。
【００４５】
本発明の第６の態様の記録装置１は、媒体支持ユニット２と、媒体支持ユニット２に支
持された媒体Ｍに記録可能な記録部７と、を備え、前記第１から第５のいずれか１つに記
載のプログラムにより前記表示機能において表示される仮想マーク１７に対する画像Ｉの
位置に対応して、実体マーク１２に対する前記記録位置に、画像Ｉを記録可能なことを特
徴とする。
【００４６】
本態様によれば、画像Ｉの表示位置に基づいて把握する記録位置と、実際の記録位置と
、にずれが生じることを抑制して記録することができる。
【００４７】
本発明の第７の態様の表示方法は、記録領域に対する画像Ｉの記録位置を確認するため
の実体マーク１２を有し媒体Ｍを支持可能な媒体支持ユニット２を備えた記録装置１によ
って、媒体Ｍに記録する画像Ｉを記録前に表示する表示方法であって、画像Ｉと、実体マ
ーク１２と対応する仮想マーク１７と、を表示部１６に表示することを特徴とする。
【００４８】
本態様によれば、画像Ｉと、実体マーク１２と対応する仮想マーク１７と、を表示部１
６に表示する。このため、表示部１６に表示される仮想マーク１７の位置と、媒体支持ユ
ニット２における実体マーク１２の位置と、から、画像Ｉの表示位置に基づいて把握する
記録位置と、実際の記録位置と、の関係性を好適に把握できる。したがって、媒体Ｍに記
録する画像Ｉを記録前に表示する際において、画像Ｉの表示位置に基づいて把握する記録
位置と、実際の記録位置と、にずれが生じることを抑制することができる。
【符号の説明】
【００４９】
１  記録装置、２  媒体支持ユニット、３  媒体搬送部、４  トレイ、
５  ステージ、６  キャリッジ、７  記録ヘッド（記録部）、８  支持面、
９  回転レバー、１０  押さえ部、１１  庇部、１２  実体マーク、
１３  トレイ４の縁部、１４  設置部、１５  位置決め部、
１６  モニター（表示部）、１７  仮想マーク、１８  ポインター、１９  制御部、
２０  ＣＰＵ、２１  システムバス、２２  ＲＯＭ、２３  ＲＡＭ、
２４  ヘッド駆動部、２５  モーター駆動部、２６  キャリッジモーター、
２７  搬送モーター、２８  入出力部、２９  ＰＣ、Ｉ  画像、Ｉｄ  データ画像、
Ｉｐ  記録画像、Ｍ  媒体、Ｓ  センサー、Ｓｅ  発光部、Ｓｒ  受光部
【図１】
2016177731.tif 000003
【図２】
2016177731.tif 000004
【図３】
2016177731.tif 000005
【図４】
2016177731.tif 000006
【図５】
2016177731.tif 000007
【図６】
2016177731.tif 000008
【図７】
2016177731.tif 000009
【図８】
2016177731.tif 000010
【図９】
2016177731.tif 000011